(57)【要約】【課題】履く人の足の甲部のサイズが異なっても、履きごごちがよいクリーンルーム用の安全靴を提供することを目的とする。【解決手段】羽根式の短靴で構成された本体部３を備えたクリーンルーム用の安全靴１において、本体部３の履き口７と羽根９、１１とを囲むようにして、一端部が本体部３の甲部革に一体的に設けられた筒状のフード１３と、履いた人の足の甲部を押さえるために本体部３の各羽根９、１１間に設けられた弾性体の靴紐１４と、足の甲部を押さえるための靴紐１４の部位の長さを調節する調節手段１５とを有する。【選択図】図１
2007097751.tif 000002
【特許請求の範囲】
【請求項１】
羽根式の短靴で構成された本体部を備えたクリーンルーム用の安全靴において、
前記本体部の履き口と羽根とを囲むようにして、一端部が前記本体部の甲部革に一体的に設けられた筒状のフードと；
履いた人の足の甲部を押さえるために前記本体部の各羽根間に設けられた弾性体の靴紐と；
前記足の甲部を押さえるための前記靴紐の部位の長さを調節する調節手段と；
を有することを特徴とするクリーンルーム用安全靴。
【発明の詳細な説明】
【技術分野】
【０００１】
本発明は、クリーンルーム用安全靴に係り、特に、履き心地を改善したものに関する。
【背景技術】
【０００２】
従来、図４に示すような、いわゆるパンプスタイプの安全靴本体部１０３にフード１０５を設けた構成のクリーンルーム用安全靴１０１が知られている。
【０００３】
本体部１０３の前側には、履いた人のつま先を保護するための先芯１０７が設けられている。先芯１０７は、鋼鉄等の固い部材で構成されている。また、筒状のフード１０５の下端は、本体部１０３の甲部革の内側で本体部１０３に一体的に設けられている。
【０００４】
なお、従来の安全靴に関する文献として、たとえば非特許文献１を掲げることができる。
【非特許文献１】安全靴の各部構造及び名称、［平成１７年９月１２日検索］、インターネット＜ＵＲＬ：ｈｔｔｐ://ｗｗｗ．ｉｃ-ｎｅｔ．ｏｒ．ｊｐ/ｈｏｍｅ/ａｏｋｉ-ｋｏｊ/ｋｏｕｚｏｕ．ｈｔｍｌ＞
【発明の開示】
【発明が解決しようとする課題】
【０００５】
ところで、一般の安全靴は前述したように硬い先芯１０７を備えている。そして、履いた人のつま先や足指が前記先芯１０７にあたり不快感をおぼえることを防止するために、安全靴の先端部の内部の空間を広くとってある。一方で、履いた人の足の甲部を、靴紐等を用いて適宜押さえることにより、履いた人の足を安全靴に適切に固定している。
【０００６】
しかし、前記従来のパンプスタイプの安全靴１０１では、先端部の内部空間が広くなっているにもかかわらず、履いた人の足Ｆが適切に安全靴１０１に固定されないので、図４に矢印で示すように、安全靴１０１に対して履いた人の足Ｆが動いてしまい、履いた人のつま先や足指が先芯１０７にぶつかり不快感をおぼえる場合がある。
【０００７】
そこで、図５に示すような、先芯１１７を備えたいわゆるスリップオンタイプの安全靴本体部１１３にフード１１５を設けた構成のクリーンルーム用安全靴１１１を考えることができる。
【０００８】
このクリーンルーム用安全靴１１１によれば、ゴム等の弾性体１１９により履いた人の足Ｆを適宜安全靴１１１に固定することができるので、本体部１１３の先端部の内部空間を広くとってあるにもかかわらず、安全靴１１１に対して履いた人の足Ｆが適切に固定され、履いた人のつま先や足指が先芯１１７にぶつかるおそれを無くすことができる。
【０００９】
しかし、履く人の足の甲部のサイズは様々であり、前述したように、弾性体１１９で足の甲部を押さえるだけでは、履く人の足を安全靴１１１に適切に固定することができず、履き心地が悪化するという問題がある。
【００１０】
すなわち、足の甲部のサイズ（甲部の周囲のサイズ）の小さい人が安全靴１１１を履くと、弾性体１１９では、甲部を押さえることができず、前記パンプスタイプの安全靴１０１を履いた場合と同様に、足が安全靴１１１に対して前後方向に動いてしまい、履き心地が悪くなる。
【００１１】
一方、足の甲部のサイズ（甲部の周囲のサイズ）が大きい人が安全靴１１１を履くと、弾性体１１９による押さえ込みの力が大きくなり、履いた安全靴がきついという印象を受け履き心地が悪くなる。
【００１２】
本発明は、前記問題点に鑑みてなされたものであり、履く人の足の甲部のサイズが異なっても、履きごごちがよいクリーンルーム用の安全靴を提供することを目的とする。
【課題を解決するための手段】
【００１３】
請求項１に記載の発明は、羽根式の短靴で構成された本体部を備えたクリーンルーム用の安全靴において、前記本体部の履き口と羽根とを囲むようにして、一端部が前記本体部の甲部革に一体的に設けられた筒状のフードと、履いた人の足の甲部を押さえるために前記本体部の各羽根間に設けられた弾性体の靴紐と、前記足の甲部を押さえるための前記靴紐の部位の長さを調節する調節手段とを有するクリーンルーム用安全靴である。
【発明の効果】
【００１４】
本発明によれば、履く人の足の甲部のサイズが異なっても、履きごごちがよいクリーンルーム用の安全靴を提供することができるという効果を奏する。
【発明を実施するための最良の形態】
【００１５】
図１は、本発明の実施形態に係るクリーンルーム用安全靴１の概略構成を示す斜視図であり、図２は、図１におけるＩＩ部の拡大図であり、図３は、図１におけるＩＩＩ部の拡大図である。
【００１６】
クリーンルーム用安全靴（以下、単に「安全靴」という場合がある。）１は、羽根式（好ましくは、外羽根９、１１を備えた外羽根式）の短靴（編上式ではない短靴）で構成された本体部３を備えている。この本体部３の上部には筒状のフード１３が設けられており、本体部３の先端部には、履いた人のつま先を保護するための鋼製または強化樹脂製の先芯５とが設けられている。
【００１７】
フード１３は、安全靴１を履いたとき微細なゴミが安全靴１の外に出ないようにするために設けられているものであり、安全靴１を履いた人の下肢の中間部から下を蓋うようになっている。また、フード１３は、本体部３の履き口７と各羽根９、１１とを囲むようにして、一端部が本体部３の甲部革に一体的に設けられている。
【００１８】
本体部３の各羽根９、１１の間には、履いた人の足の甲部を押さえるための弾性体の靴紐１４が設けられており、さらに、履いた人足の甲部を押さえるための靴紐１４の部位の長さを調節する調節手段１５が設けられている。
【００１９】
本体部３の履き口７のかかと部には、安全靴１を履く際にかかとが履き口７の前記かかと部に引っ掛かることを防止するためのガイド部１７が設けられている。このガイド部１７はたとえば、後部革１９で構成されている。
【００２０】
前記後部革１９は、本体部３の内側の後部に設けられており、所定の幅で所定の高さだけ履き口７よりも上方に延出している。そして、後部革１９の前記上方に延出している部位の縁部が、ほぼ前長にわたってフード１３に縫い付ける等して一体的に固定してある。なお、後部革１９の前記上方に延出している部位は、すでに理解されるようにフード１３内に存在している。また、後部革１９の前記延出している部位の幅は、上方にいくほど狭くなっている。
【００２１】
前記調節手段１５は、たとえば、履いた人の足の甲部を押さえるための靴紐１４の部位の長さを、靴紐１４に係合することにより調節可能なストッパ２１により構成されている。
【００２２】
より詳しく説明すると、ストッパ２１は、２つの貫通孔２７を備えた筐体２３と、前記貫通孔２７と同様な２つの貫通孔を備えていると共に前記筐体２３の内側で前記筐体２３に対して前記貫通孔２７のあいている方向に対してほぼ直交する方向に移動自在な板状の移動部材２５とで構成されている。
【００２３】
前記移動部材２５は図示しないバネ等の弾性体により図２に示す矢印ＡＲ１との逆の方向に付勢されていると共に、図示しない係止部により筐体２３からは脱落しないようになっている。
【００２４】
そして、常態では、移動部材２５が付勢されていることにより、筐体２３の各貫通孔２７に対する移動部材２５の各貫通孔の位置がずれており、筐体２３と移動部材２５とにより靴紐１４にせん断方向の力が加わり靴紐１４にストッパ２１が固定され、安全靴１を履く人の足の甲部を押さえる靴紐１４の長さを固定することができるようになっている。
【００２５】
一方、安全靴１を履く人が、移動部材２５を筐体２３に対して矢印ＡＲ１の方向に押し込むと、筐体２３の各貫通孔２７と移動部材２５の各貫通孔との位置が互いに一致し、ストッパ２１が、靴紐１４に対して自由に移動し、安全靴１を履く人の足の甲部を押さえる靴紐１４の長さを調節することができるようになっている。なお、すでに理解されるように、靴紐１４とストッパ２１とは、フード１３の内側に存在している。
【００２６】
クリーンルーム用安全靴１によれば、履く人の足の甲部を押さえるために弾性体の靴紐１４を使用し、この弾性体の靴紐１４の長さ（履いた人の甲部を押さえるための靴紐１４の長さ）を調節する調節手段１５を設けたので、安全靴１を最初に履くときに靴紐１４の長さを調節すれば、この後は靴紐１４の長さを調整しなくても、靴紐１４で履いた人の足の甲部を適切に押さえることができ、履いた人の足のつま先や指が先芯にぶつかることを回避することができる。そして、足の甲部のサイズが異なる様々な人に対しても、履きごごちがよいクリーンルーム用の安全靴を提供することができる。
【００２７】
また、本体部３を外羽根式にしてあるので、靴紐１４の長さの調整量を大きくすることができ広い範囲の足の甲部のサイズに対応することができると共に、靴紐１４の長さを一旦調整したあとでも、履いた人の足の甲部を押さえ込む部位の変形量を大きくとることができ、安全靴１が履きやすくなっていると共に、靴紐１４による締め付け感を軽減でき履き心地を一層向上させることができる。
【００２８】
ところで、図５に示すように、従来のクリーンルーム用安全靴１１１では、弾性体１１９等が設けられていることにより、フード１１５の下端が本体部１１３の履き口を囲むように、フード１１５が本体部１１３の甲部革の表側に設けられているので、前記本体部１１３の履き口の後部１２１とフード１１５との間に段差１２０が形成されている。
【００２９】
したがって、従来のクリーンルーム用安全靴１１１を人が履く際、前記本体部１１３の履き口の後部１２１が足のかかとにひっかかり、図６に矢印で示す方向に本体部１１３の履き口の後部１２１が内側に折れ曲がり、安全靴１１１が履きづらくなる。
【００３０】
しかし、クリーンルーム用安全靴１では、前述したように構成したので、フード１３と後部革１９との間の段差（図５に示すような段差）１２０がなくなり、後部革１９が靴べらのような機能を果たすので、人が安全靴１を履く際、図６に示すようにかかとが本体部３の履き口７の後部にあたって履き口７の後部がめくれる事態を回避することができ、安全靴１を履く際違和感無くスムーズに履くことができる。
【００３１】
なお、安全靴１は、短靴で構成された本体部を備えたクリーンルーム用の安全靴であって、前記本体部の履き口と羽根とを囲むようにして一端部が前記本体部の甲部革に一体的に設けられた筒状のフードと、履いた人の足の甲部を押さえるために前記本体部の甲部革に設けられていると共に弾性を備えている甲部保持部と、履く人の足の甲部のサイズに合わせるために前記甲部保持部の大きさを調節可能な調節手段とを有するクリーンルーム用安全靴の例である。
【００３２】
すなわち、たとえば、ベルクロ（登録商標）タイプの本体部を用いてクリーンルーム用安全靴を構成し、ベルクロタイプの甲部押さえ部の少なくとも一部を弾性体で構成してもよい。
【図面の簡単な説明】
【００３３】
【図１】本発明の実施形態に係るクリーンルーム用安全靴の概略構成を示す斜視図である。
【図２】図１におけるＩＩ部の拡大図である。
【図３】図３は、図１におけるＩＩＩ部の拡大図である。
【図４】従来のパンプスタイプのクリーンルーム用安全靴を示す図である。
【図５】スリップオンタイプのクリーンルーム用安全靴を示す図である。
【図６】スリップオンタイプのクリーンルーム用安全靴を示す図である。
【符号の説明】
【００３４】
１  クリーンルーム用安全靴
３  本体部
５  先芯
７  履き口
９、１１  羽根
１３  フード
１４  靴紐
１５  調節手段
１７  ガイド部
１９  後部革
２１ストッパ
【図１】
2007097751.tif 000003
【図２】
2007097751.tif 000004
【図３】
2007097751.tif 000005
【図４】
2007097751.tif 000006
【図５】
2007097751.tif 000007
【図６】
2007097751.tif 000008